(57)【要約】【課題】軸筒の把持部の表面起伏を、使用者が好みで変更させることが可能な筆記具を得る。【解決手段】軸筒２に複数の溝部２０を形成し、軸筒２の溝部２０に、本体部４ａ，５ａ，６ａの厚みが異なるものが複数種存在する複数の駒部材４，５，６を装着させて把持部３とし、さらには軸筒２の溝部２０が、軸筒２の表側に形成した巾狭部２０ａと該巾狭部の裏側に隣設させた巾広部２０ｂとを有し、駒部材４，５，６の本体部４ａ，５ａ，６ａの裏面に、溝部２０の巾狭部２０ａに配置される脚部４ｂ，５ｂ，６ｂと該脚部から延設され溝部２０の巾広部２０ｂに配置される抜止部４ｃ，５ｃ，６ｃとを形成する。【選択図】図１
2015123660.tif 000002
【特許請求の範囲】
【請求項１】
軸筒に複数の溝部を形成し、前記軸筒の溝部に、本体部の厚みが異なるものが複数種存在する複数の駒部材を装着させて把持部とした筆記具。
【請求項２】
前記軸筒の溝部が、該軸筒の表側に形成した巾狭部と該巾狭部の裏側に隣設させた巾広部とを有し、前記駒部材の本体部の裏面に、前記溝部の巾狭部に配置される脚部と該脚部から延設され前記溝部の巾広部に配置される抜止部とを形成した請求項１に記載の筆記具。
【請求項３】
前記溝部を前記駒部材が複数直列に装着できるよう形成した請求項１または２に記載の筆記具。
【発明の詳細な説明】
【技術分野】
【０００１】
本発明は筆記具に関する。
【背景技術】
【０００２】
従来より、様々な構造の筆記具が存在しており、最近では、メーカーが作ったものを使用者がそのまま使用するのではなく、例えば特許文献１では、筆記具の把持部を被覆する外グリップの内部に模様付きの内グリップを複数配列し、把持部に対して内グリップを個々に回転させたり、配列を入れ替えることで、透明または半透明な外グリップを透して内グリップの変化を楽しむことができる筆記具が開示されており、実際の市場においても高評価を得ている。
【０００３】
また特許文献２には、筆記具の把持部に外面処理の異なる複数個の環体を着脱自在に配し、使用者が環体の向きを変えたり配列を変えることによって、把持部の把持感触や意匠性を変化させることができる筆記具が開示されている。
【０００４】
さらに最近では、使用者の要望が多様化しており、その一つとして、軸筒の把持部の表面起伏についても使用者の好みに応じて変更させることが可能な筆記具が求められている。
【先行技術文献】
【特許文献】
【０００５】
【特許文献１】特開２０１３−１０１１号公報
【特許文献２】実開平６−５０８８４号公報
【発明の概要】
【発明が解決しようとする課題】
【０００６】
本発明では、軸筒の把持部の表面起伏を、使用者が好みで変更させることが可能な筆記具を得ることを目的とする。
【課題を解決するための手段】
【０００７】
本発明は、
「１．軸筒に複数の溝部を形成し、前記軸筒の溝部に、本体部の厚みが異なるものが複数種存在する複数の駒部材を装着させて把持部とした筆記具。
２．前記軸筒の溝部が、該軸筒の表側に形成した巾狭部と該巾狭部の裏側に隣設させた巾広部とを有し、前記駒部材の本体部の裏面に、前記溝部の巾狭部に配置される脚部と該脚部から延設され前記溝部の巾広部に配置される抜止部とを形成した前記１項に記載の筆記具。
３．前記溝部を前記駒部材が複数直列に装着できるよう形成した前記１項または２項に記載の筆記具。」である。
【０００８】
本発明における複数の駒部材は、本体部の厚みを異ならせる以外にも、色を変えたり、樹脂や金属や木材など異なる材質で形成したり、本体部の表面に梨地加工を施したり縞状の凹凸を形成したり、硬度を異ならせたり、あるいは本体部の大きさを異ならせるなど、種々の駒部材を設定することによって、把持部の変化をさらに楽しむことが可能となる。
【発明の効果】
【０００９】
本発明によれば、軸筒の把持部の表面起伏を、使用者が好みで変更させることが可能な筆記具を得ることができる。
【図面の簡単な説明】
【００１０】
【図１】図１は、本実施例の筆記具の要部斜視図である。
【図２】図２は、軸筒の要部斜視図である。
【図３】図３は、図２のＥ−Ｅ線断面図である。
【図４】図４は、駒部材の断面図であり、図４Ａ〜図４Ｃは本実施例における本体部の厚みが異なる駒部材の断面をそれぞれ示している。
【図５】図５は、軸筒に駒部材を装着する状態を示す図である。
【図６】図６は、図１の横断面であり、図６Ａは図１のＡ−Ａ線断面、図６Ｂは図１のＢ−Ｂ線断面、図６Ｃは図１のＣ−Ｃ線断面、図６Ｄは図１のＤ−Ｄ線断面を示す。
【発明を実施するための形態】
【００１１】
以下、図面を参照して本実施例における筆記具について説明を行う。尚、説明を分かりやすくするために、図面中の同様の部材、同様の部分については同じ番号を付してある。本実施例の説明においては口金側を前方と表現し、その反対側を後方と表現する。
【００１２】
図１に示すように筆記具１は、軸筒２の把持部３に三種類の駒部材４，５，６を装着してあり、軸筒２の前端に口金７を着脱可能に螺合してある。図２および図３に示すように、軸筒２には複数の軸心に沿った溝部２０を形成してあり、この溝部２０に対して、熱可塑性エラストマーで形成した前記三種類の駒部材４，５，６を複数直列に装着させることにより、図１に示すように筆記具１の把持部３とした。本実施例では、一つの溝部２０に対して４つの駒部材を直列に装着できるように、溝部２０の長さを駒部材の長さの４倍の寸法で形成してある。
【００１３】
図２および図３に示すように本実施例の軸筒２は、軸筒２の表側に位置した巾狭部２０ａと、該巾狭部２０ａの裏側に位置した巾広部２０ｂとで、前記溝部２０を構成してある。図４に示すように、三種類の駒部材４，５，６は、本体部４ａ，５ａ，６ａの厚みが異なっており、本体部４ａ，５ａ，６ａの裏面に、軸筒２の巾狭部２０ａに対応する脚部４ｂ，５ｂ，６ｂを垂設してあり、軸筒２の巾広部２０ｂに対応する抜止部４ｃ，５ｃ，６ｃを前記脚部４ｂ，５ｂ，６ｂから側方に拡がるよう形成してある。
【００１４】
図５に示すように、本実施例の軸筒２は、溝部２０の前端を開放させることで、溝部２０の巾広部２０ｂの前端より駒部材４，５，６の抜止部４ｃ，５ｃ，６ｃを挿通して、軸筒２０に対して駒部材４，５，６を抜け止め状態で装着させることが可能になっている。本実施例では、三種類の駒部材４，５，６の脚部４ｂ，５ｂ，６ｂおよび抜止部４ｃ，５ｃ，６ｃは全て同形状で形成してあり、軸筒２の溝部２０に対して駒部材４，５，６を自由に装着させることができ、図６に示すように、駒部材４，５，６の本体部４ａ，５ａ，６ａを、本体部４ａは薄く、本体部５ａは普通に、本体部６ａは厚く形成してあることから、使用者が、軸筒２の把持部の表面起伏の状態を好みで設定したり変更したりすることが可能となった。
【符号の説明】
【００１５】
１…筆記具、
２…軸筒、２０…溝部、２０ａ…巾狭部、２０ｂ…巾広部、
３…把持部、
４…駒部材、４ａ…本体部、４ｂ…脚部、４ｃ…抜止部、
５…駒部材、５ａ…本体部、５ｂ…脚部、５ｃ…抜止部、
６…駒部材、６ａ…本体部、６ｂ…脚部、６ｃ…抜止部、
７…口金。
【図１】
2015123660.tif 000003
【図２】
2015123660.tif 000004
【図３】
2015123660.tif 000005
【図４】
2015123660.tif 000006
【図５】
2015123660.tif 000007
【図６】
2015123660.tif 000008